(57)【要約】【課題】着信側に早期に発信内容を知らせることができる通信制御システムを提供する。【解決手段】通信制御システム１では、回線設定前のルーティング情報の取得段階において、第１移動通信交換装置１００が発着番号特定情報や発信情報を含むルーティング情報の取得要求信号を生成して加入者情報管理装置２００に送信する。発信情報には、発信側の移動通信端末６００を特定する発番号情報と発信側の移動通信端末６００からの発信の種別を示す発信種別情報が含まれる。加入者情報管理装置２００は、取得要求信号に基づき着信側の第２移動通信交換装置３００を特定し、その第２移動通信交換装置３００にルーティング番号の払出し要求信号を送信する。第２移動通信交換装置３００では、ルーティング番号取得のための呼出信号を移動通信端末７００に送信する際、発信情報を着信側の移動通信端末７００に送信する。【選択図】図１
2010041513.tif 000002
【特許請求の範囲】
【請求項１】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムであって、
前記第１移動通信交換装置は、
前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備え、
前記加入者情報管理装置は、
前記第１移動通信交換装置から前記ルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備え、
前記第２移動通信交換装置は、
前記加入者情報管理装置から前記ルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備える、
ことを特徴とする通信制御システム。
【請求項２】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項１に記載の通信制御システム。
【請求項３】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる第１移動通信交換装置であって、
前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備えることを特徴とする第１移動通信交換装置。
【請求項４】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる加入者情報管理装置であって、
前記第１移動通信交換装置から前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含むルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備えることを特徴とする加入者情報管理装置。
【請求項５】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる第２移動通信交換装置であって、
前記加入者情報管理装置から前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含むルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備えることを特徴とする第２移動通信交換装置。
【請求項６】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムの通信制御方法であって、
前記第１移動通信交換装置が、前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信ステップと、
前記第１移動通信交換装置が、前記発信要求信号受信ステップで受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信ステップと、
前記加入者情報管理装置が、前記第１移動通信交換装置から前記ルーティング情報取得要求信号を受信する取得要求信号受信ステップと、
前記加入者情報管理装置が、前記取得要求信号受信ステップで受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定ステップと、
前記加入者情報管理装置が、前記取得要求信号受信ステップで受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定ステップで特定された前記第２移動通信交換装置に送信する払出し要求信号送信ステップと、
前記第２移動通信交換装置が、前記加入者情報管理装置から前記ルーティング番号払出し要求信号を受信する払出し要求信号受信ステップと、
前記第２移動通信交換装置が、前記払出し要求信号受信ステップで受信した前記ルーティング番号払出し要求信号に基づいて前記呼出信号を前記着信側の移動通信端末に送信する呼出信号送信ステップと、
前記第２移動通信交換装置が、前記払出し要求信号受信ステップで受信した前記ルーティング番号払出し要求信号から前記発信情報を抽出して、前記呼出信号送信ステップで前記呼出信号を送信する際、前記発信情報を前記着信側の移動通信端末に送信する発信情報通知ステップと、
前記第２移動通信交換装置が、前記呼出信号送信ステップでの前記呼出信号の送信に応じて前記着信側の移動通信端末から送信される応答信号を受信して前記ルーティング番号を取得する取得ステップと、
を含むことを特徴とする通信制御方法。
【発明の詳細な説明】
【技術分野】
【０００１】
本発明は、プレページング（Pre-Paging）を行う通信制御システム、移動通信交換装置、加入者情報管理装置、および通信制御方法に関し、特に、ＣＳ(Circuit Switched) ｆａｌｌｂａｃｋに対応した通信制御システム、移動通信交換装置、加入者情報管理装置、および通信制御方法に関する。
【背景技術】
【０００２】
従来の移動通信網として、ＧＥＲＡＮといった２Ｇ（2nd Generation）網やＵＴＲＡＮといった３Ｇ（3rd Generation）網がある。従来の２Ｇ／３Ｇ網では、音声通話やデータ通信の両サービスを取り扱っているが、より高速のデータ通信を実現するため、Ｅ−ＵＴＲＡＮといった３．９Ｇ（3.9 Generation）網が検討されている。この３．９Ｇ網では、高速なデータ通信サービスを提供することを主目的としていることから、３．９Ｇ網に在圏する移動通信端末に音声通話サービスの呼び出しが行われて音声通話を行うためには、移動通信端末が在圏する移動通信網を３．９Ｇから２Ｇ／３Ｇ網へと遷移させて、２Ｇ／３Ｇ網を利用した音声通話サービスを受ける必要がある。このような移動通信網の切替は、いわゆるＣＳ ｆａｌｌｂａｃｋと呼ばれ（非特許文献１）、ＣＳ ｆａｌｌｂａｃｋ対応の通信制御システムが知られている。
【０００３】
このようなＣＳ ｆａｌｌｂａｃｋ対応の通信制御システムを始めとした通信制御システムでは、一方の移動通信端末から他方の移動通信端末へ発信がなされる場合、まず、着信側の移動通信端末を管理する移動通信交換装置（ＭＳＣ）を特定する情報やその移動通信交換装置で着信側の移動通信端末に割り当てられるルーティング番号といったルーティング情報の取得が行われる。その後、取得されたルーティング情報に基づいて両移動通信端末間の回線を設定し、音声通話を行うようになっている。この回線設定の際、ＣＳ ｆａｌｌｂａｃｋ対応の通信制御システムでは、通信効率を高めるため、ルーティング番号の割り当てを行う前に着信側の移動通信端末に一斉呼び出しを行い、応答があった場合にのみルーティング番号の割り当てを行うといった、いわゆるプレページングを行っている（非特許文献２）。
【非特許文献１】3GPP Specification detail，3GPP TS 23.272，Circuit Switched (CS) fallback in Evolved Packet System (EPS); Stage 2
【非特許文献２】3GPP TS 23.018 V8.0.0(2008-06)，3rd Generation Partnership Project，Technical Specification Group Core Network and Terminals，Basic call handling，Technical realization(Release 7)
【発明の開示】
【発明が解決しようとする課題】
【０００４】
ところで、プレページングによってルーティング番号の割り当てを行う場合、発信側の移動通信端末の発番号を特定する発番号特定情報やその発信側の移動通信端末からの発信が音声通話なのかＴＶ電話なのかといった発信種別情報（サービス種別情報）といった発信情報は、プレページング後の移動通信端末間の回線設定の際に得ることになっているため、プレページング時に、着信側の移動通信端末に上述したような発信情報を送信することができなかった。このため、例えば、データ通信中の着信側の移動通信端末に対して発信がなされた場合、着信側の移動通信端末の使用者は、発信内容を早期に知ることができず、データ通信を切断して着信に応答すべきか否かを早期に判断することができなかった。しかも、ＣＳｆａｌｌｂａｃｋ対応の通信制御システムでは、データ通信中の着信側の移動通信端末に対して発信がなされた場合、回線が設定されると、着信側の移動通信端末の使用者（着信者）の意図にかかわらず自動的にＣＳｆａｌｌｂａｃｋが行われてデータ通信が切断される、または速度が低下するようになっており、３．９Ｇ網でデータ通信を継続させるか又は着信に応答するか、すなわち移動網の切替を着信者側で選択できずに不便であった。
【０００５】
本発明は、以上の問題点を解決するためになされたものであり、プレページングを行う通信制御システムにおいて、着信者に早期に発信内容を知らせることができる通信制御システム、移動通信交換装置、加入者情報管理装置、および通信制御方法を提供することを目的とする。
【課題を解決するための手段】
【０００６】
上記課題を解決するために、本発明の通信制御システムは、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムであって、第１移動通信交換装置は、発信側の移動通信端末の発番号および着信側の移動通信端末の着番号を特定する発着番号特定情報、並びに当該発信側の移動通信端末を特定する発番号情報および発信側の移動通信端末からの発信の種別を示す発信種別情報の少なくとも一方の発信情報を含む発信要求信号を発信側の移動通信端末から受信する発信要求信号受信手段と、発信要求信号受信手段が受信した発信要求信号から発着番号特定情報および発信情報を抽出し、発着番号特定情報および発信情報を含むルーティング情報取得要求信号を生成してルーティング情報取得要求信号を加入者情報管理装置に送信する取得要求信号送信手段と、を備え、加入者情報管理装置は、第１移動通信交換装置からルーティング情報取得要求信号を受信する取得要求信号受信手段と、取得要求信号受信手段が受信したルーティング情報取得要求信号から発着番号特定情報を抽出し、発着番号特定情報で特定される着信側の移動通信端末の位置登録情報を参照して、着信側の移動通信端末の通信を制御する第２移動通信交換装置を特定する移動通信交換装置特定手段と、取得要求信号受信手段が受信したルーティング情報取得要求信号から発着番号特定情報および発信情報を抽出し、発着番号特定情報および発信情報を含むルーティング番号払出し要求信号を生成してルーティング番号払出し要求信号を移動通信交換装置特定手段で特定された第２移動通信交換装置に送信する払出し要求信号送信手段と、を備え、第２移動通信交換装置は、加入者情報管理装置からルーティング番号払出し要求信号を受信する払出し要求信号受信手段と、払出し要求信号受信手段が受信したルーティング番号払出し要求信号に基づいて呼出信号を着信側の移動通信端末に送信する呼出信号送信手段と、払出し要求信号受信手段が受信したルーティング番号払出し要求信号から発信情報を抽出して、呼出信号送信手段が呼出信号を送信する際、発信情報を着信側の移動通信端末に送信する発信情報通知手段と、呼出信号送信手段からの呼出信号の送信に応じて着信側の移動通信端末から送信される応答信号を受信してルーティング番号を取得する取得手段と、を備える、ことを特徴とする。
【０００７】
また、本発明の第１移動通信交換装置は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムに用いられる第１移動通信交換装置であって、発信側の移動通信端末の発番号および着信側の移動通信端末の着番号を特定する発着番号特定情報、並びに当該発信側の移動通信端末を特定する発番号情報および発信側の移動通信端末からの発信の種別を示す発信種別情報の少なくとも一方の発信情報を含む発信要求信号を発信側の移動通信端末から受信する発信要求信号受信手段と、発信要求信号受信手段が受信した発信要求信号から発着番号特定情報および発信情報を抽出し、発着番号特定情報および発信情報を含むルーティング情報取得要求信号を生成してルーティング情報取得要求信号を加入者情報管理装置に送信する取得要求信号送信手段と、を備えることを特徴とする。
【０００８】
また、本発明の加入者情報管理装置は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムに用いられる加入者情報管理装置であって、第１移動通信交換装置から発信側の移動通信端末の発番号および着信側の移動通信端末の着番号を特定する発着番号特定情報、並びに当該発信側の移動通信端末を特定する発番号情報および発信側の移動通信端末からの発信の種別を示す発信種別情報の少なくとも一方の発信情報を含むルーティング情報取得要求信号を受信する取得要求信号受信手段と、取得要求信号受信手段が受信したルーティング情報取得要求信号から発着番号特定情報を抽出し、発着番号特定情報で特定される着信側の移動通信端末の位置登録情報を参照して、着信側の移動通信端末の通信を制御する第２移動通信交換装置を特定する移動通信交換装置特定手段と、取得要求信号受信手段が受信したルーティング情報取得要求信号から発着番号特定情報および発信情報を抽出し、発着番号特定情報および発信情報を含むルーティング番号払出し要求信号を生成してルーティング番号払出し要求信号を移動通信交換装置特定手段で特定された第２移動通信交換装置に送信する払出し要求信号送信手段と、を備えることを特徴とする。
【０００９】
また、本発明の第２移動通信交換装置は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムに用いられる第２移動通信交換装置であって、加入者情報管理装置から発信側の移動通信端末の発番号および着信側の移動通信端末の着番号を特定する発着番号特定情報、並びに当該発信側の移動通信端末を特定する発番号情報および発信側の移動通信端末からの発信の種別を示す発信種別情報の少なくとも一方の発信情報を含むルーティング番号払出し要求信号を受信する払出し要求信号受信手段と、払出し要求信号受信手段が受信したルーティング番号払出し要求信号に基づいて呼出信号を着信側の移動通信端末に送信する呼出信号送信手段と、払出し要求信号受信手段が受信したルーティング番号払出し要求信号から発信情報を抽出して、呼出信号送信手段が呼出信号を送信する際、発信情報を着信側の移動通信端末に送信する発信情報通知手段と、呼出信号送信手段からの呼出信号の送信に応じて着信側の移動通信端末から送信される応答信号を受信してルーティング番号を取得する取得手段と、を備えることを特徴とする。
【００１０】
また、本発明の通信制御方法は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムの通信制御方法であって、第１移動通信交換装置が、発信側の移動通信端末の発番号および着信側の移動通信端末の着番号を特定する発着番号特定情報、並びに当該発信側の移動通信端末を特定する発番号情報および発信側の移動通信端末からの発信の種別を示す発信種別情報の少なくとも一方の発信情報を含む発信要求信号を発信側の移動通信端末から受信する発信要求信号受信ステップと、第１移動通信交換装置が、発信要求信号受信ステップで受信した発信要求信号から発着番号特定情報および発信情報を抽出し、発着番号特定情報および発信情報を含むルーティング情報取得要求信号を生成してルーティング情報取得要求信号を加入者情報管理装置に送信する取得要求信号送信ステップと、加入者情報管理装置が、第１移動通信交換装置からルーティング情報取得要求信号を受信する取得要求信号受信ステップと、加入者情報管理装置が、取得要求信号受信ステップで受信したルーティング情報取得要求信号から発着番号特定情報を抽出し、発着番号特定情報で特定される着信側の移動通信端末の位置登録情報を参照して、着信側の移動通信端末の通信を制御する第２移動通信交換装置を特定する移動通信交換装置特定ステップと、加入者情報管理装置が、取得要求信号受信ステップで受信したルーティング情報取得要求信号から発着番号特定情報および発信情報を抽出し、発着番号特定情報および発信情報を含むルーティング番号払出し要求信号を生成してルーティング番号払出し要求信号を移動通信交換装置特定ステップで特定された第２移動通信交換装置に送信する払出し要求信号送信ステップと、第２移動通信交換装置が、加入者情報管理装置からルーティング番号払出し要求信号を受信する払出し要求信号受信ステップと、第２移動通信交換装置が、払出し要求信号受信ステップで受信したルーティング番号払出し要求信号に基づいて呼出信号を着信側の移動通信端末に送信する呼出信号送信ステップと、第２移動通信交換装置が、払出し要求信号受信ステップで受信したルーティング番号払出し要求信号から発信情報を抽出して、呼出信号送信ステップで呼出信号を送信する際、発信情報を着信側の移動通信端末に送信する発信情報通知ステップと、第２移動通信交換装置が、呼出信号送信ステップでの呼出信号の送信に応じて着信側の移動通信端末から送信される応答信号を受信してルーティング番号を取得する取得ステップと、を含むことを特徴とする。
【００１１】
このような本発明の通信制御システム、移動通信交換装置、加入者情報管理装置、および通信制御方法によれば、回線設定前のルーティング情報の取得段階において、第１移動通信交換装置が発信情報を含むルーティング情報取得要求信号を生成して加入者情報管理装置に送信する。続いて、発信情報を含むルーティング情報取得要求信号を受信した加入者情報管理装置が着信側の第２移動通信交換装置を特定すると共に発信情報を含むルーティング番号払出し要求信号を生成して、特定された第２移動通信交換装置にこのルーティング番号払出し要求信号を送信する。そして、発信情報を含むルーティング番号払出し要求信号を受信した第２移動通信交換装置が呼出信号を着信側の移動通信端末に送信する際、発信側の移動通信端末を特定する発番号情報および発信側の移動通信端末からの発信の種別を示す発信種別情報の少なくとも一方の発信情報を着信側の移動通信端末に送信するようになっている。このように第２移動通信交換装置が呼出信号を送信する際、すなわちプレページングを行う際、発信側の移動通信端末についての発信内容をあわせて送信することにより、着信側の移動通信端末の使用者すなわち着信者に早期に発信内容を知らせることができる。なお、ここで用いられる「ルーティング番号」とは、第２移動通信交換装置において着信側の移動通信端末に割り当てられる番号を意味し、「ルーティング情報」とは、前述した「ルーティング番号」および、着信側の移動通信端末を制御している第２移動通信交換装置を特定する特定情報を含む情報を意味する。また、ここで用いられる「発信情報」と「発着番号特定情報」との間で、情報の一部が共用されていてもよい。
【００１２】
また、本発明の通信制御システムは、発信情報通知手段が着信側の移動通信端末へ発信情報を送信したことに応じて、着信側の移動通信端末が在圏中の移動通信網から発信側の移動通信端末が在圏する別の移動通信網への切替を指示する切替指示信号を着信側の移動通信端末から受信して、着信側の移動通信端末を発信側の移動通信端末が在圏する別の移動通信網に在圏させるように切り替える移動通信網切替手段を備えていてもよい。これにより、着信側の移動通信端末において、着信者は、移動網の切替の選択を行うことができる。
【発明の効果】
【００１３】
本発明によれば、着信側に早期に発信内容を知らせることができる。
【発明を実施するための最良の形態】
【００１４】
以下、添付図面を参照して本発明にかかる通信制御システム、移動通信交換装置（ＭＳＣ：Mobile Switching Center）、加入者情報管理装置（ＨＳＳ：Home Subscriber Server）、および通信制御方法の好適な実施形態を詳細に説明する。なお、図面の説明において同一の要素には同一の符号を付し、重複する説明は省略する。
【００１５】
（通信制御システム１の全体構成）
まず、本発明の第１実施形態にかかる通信制御システム１の全体構成について、図１及び図２を参照しながら説明する。図１は、ルーティング番号を取得する際の通信制御システム１の構成概要図である。図２は、ルーティング番号を取得した後の通信制御システム１の構成概要図である。図１及び図２に示すように、通信制御システム１は、第１移動通信交換装置（ＭＳＣ１）１００、加入者情報管理装置２００、第２移動通信交換装置（ＭＳＣ２）３００、及び多数の移動通信交換装置（不図示）を含んで構成される。第１移動通信交換装置１００、第２移動通信交換装置３００、及び不図示の移動通信交換装置はそれぞれ略同様の構成を有し、加入者情報管理装置２００に接続されて、在圏する移動通信端末６００，７００やその他多数の移動通信端末（不図示）の通信を制御する。
【００１６】
このような通信制御システム１は、第１移動通信交換装置１００、第２移動通信交換装置３００、及び不図示の移動通信交換装置を通じて、無線アクセスネットワーク（ＲＡＮ：Radio Access Network）４００やＥ―ＵＴＲＡＮ５００などの無線網に接続されて移動通信網を構成し、これら移動通信網は、多数の移動通信端末に対して移動通信機能を提供する。無線網の１つである無線アクセスネットワーク４００は、各移動通信端末と各移動通信交換装置とを結ぶ無線制御装置（ＲＮＣ：Radio Network Control）４１０、マルチメディア信号処理装置（ＭＰＥ）４２０および基地局（ＢＴＳ：Base Transceiver Station）４３０を一組としたユニットを多数備えて構成される無線網であり、通信制御システム１と共にＧＥＲＡＮといった２Ｇ網やＵＴＲＡＮといった３Ｇ網を構成する。２Ｇ／３Ｇ網では、音声通話サービスとデータ通信サービスが提供される。
【００１７】
また、別の無線網であるＥ−ＵＴＲＡＮ５００は、各移動通信端末と各移動通信交換装置とを結ぶ移動通信管理装置（ＭＭＥ：Mobility Management Entry ）５１０および基地局（ｅＮＢ）５２０を一組としたユニットを多数備えて構成される無線網であり、通信制御システム１と共にＥ−ＵＴＲＡＮといった３．９Ｇ網を構成する。例えば、図１では、一方の移動通信端末６００が無線アクセスネットワーク４００に在圏し、他方の移動通信端末７００がＥ−ＵＴＲＡＮ５００に在圏する状況が示されている。また、図２では、両方の移動通信端末６００，７００が共に無線アクセスネットワーク４００に在圏する状況が示されている。なお、３．９Ｇ網に在圏する移動通信端末は、２Ｇ／３Ｇ網でのデータ通信に比べてより高速なデータ通信を行うことができるが、３．９Ｇ網では音声通話サービスが提供されていないことから、３．９Ｇ網に在圏したままでは音声通話を行うことができない。そこで、３．９Ｇ網に対応している移動通信端末で音声通話を行う場合には、音声通話サービスが提供されている無線アクセスネットワーク４００へ在圏する移動通信網を切替えて、音声通話サービスを受けるようになっている。このような移動通信網の切替は、ＣＳｆａｌｌｂａｃｋと呼ばれる。なお、無線アクセスネットワーク４００やＥ−ＵＴＲＡＮ５００の各無線網に接続するにはそれぞれ別の機能が必要であり、少なくとも移動通信端末７００は、両無線網に接続できる機能を有している。
【００１８】
ここで、通信制御システム１による移動通信端末間での通話が開始されるまでの概略について、ＣＳｆａｌｌｂａｃｋする場合を例にとって図１及び図２を参照して説明する。なお、説明の便宜上、移動通信端末６００を発信側の移動通信端末と、移動通信端末７００を着信側の移動通信端末と、第１移動通信交換装置１００を発信側の移動通信端末の通信を制御する移動通信交換装置と、第２移動通信交換装置３００を着信側の移動通信端末の通信を制御する移動通信交換装置として説明を行うが、各移動通信端末や各移動通信交換装置はそれぞれ略同様の構成を有しており、説明内容に限定されるわけではなく、発信側にも着信側にもなり得る。
【００１９】
まず、Ｅ−ＵＴＲＡＮ５００に在圏してデータ通信中の移動通信端末７００に対して、無線アクセスネットワーク４００に在圏する移動通信端末６００から音声通話を行おうとすると、発信側の移動通信端末６００から第１移動通信交換装置１００に対して発信要求がなされる（Ｓ００１）。発信要求がなされた第１移動通信交換装置１００は、加入者情報管理装置２００に対してルーティング情報の取得要求を行う（Ｓ００２）。このルーティング情報には、多数の移動通信交換装置の中から第２移動通信交換装置３００を特定する特定情報と着信側の移動通信端末７００に割り当てられるルーティング番号とが含まれる。取得要求を受けた加入者情報管理装置２００は、着信側の移動通信端末７００の位置登録情報を参照して、第２移動通信交換装置３００を特定する。また、加入者情報管理装置２００は、この特定された第２移動通信交換装置３００に対してルーティング番号の払出し要求を行う（Ｓ００３）。
【００２０】
払出し要求を受けた第２移動通信交換装置３００は、払出し要求に応じて、着信側の移動通信端末７００に呼出を行う（Ｓ００４）。着信側の移動通信端末７００が発信要求に応じる場合、この呼出に応答し（Ｓ００４）、第２移動通信交換装置３００は、通信用の一のチャンネルに対応するルーティング番号を、着信側の移動通信端末７００用として割り当てる。なお、このルーティング番号の割り当てと並行して、移動通信端末７００はＣＳｆａｌｌｂａｃｋを行い、着信側の移動通信端末７００が在圏する無線網をＥ−ＵＴＲＡＮ５００から無線アクセスネットワーク４００へと切り替える。ルーティング番号の取得後、加入者情報管理装置２００を介してルーティング番号を第１移動通信交換装置１００へ応答する（Ｓ００６，Ｓ００７）。その後、第１移動通信交換装置１００が、ルーティング番号に基づいて第２移動通信交換装置３００への回線を設定して（Ｓ００８）、発信側の移動通信端末６００と着信側の移動通信端末７００との間での音声通話が開始される。以下、通信制御システム１を構成する各要素について詳細に説明する。
【００２１】
（第１移動通信交換装置１００の構成）
第１移動通信交換装置１００について説明する。図３は、第１移動通信交換装置１００のハードウェア構成図である。図３に示すように、第１移動通信交換装置１００は、物理的には、ＣＰＵ１１、ＲＯＭ１２およびＲＡＭ１３等の主記憶装置、加入者情報管理装置２００、第２移動通信交換装置３００、無線アクセスネットワーク４００、Ｅ−ＵＴＲＡＮ５００、および移動通信端末６００との間でデータの送受信を行うためのネットワークカード等の通信モジュール１４、ハードディスク等の補助記憶装置１５などを含む通常のコンピュータシステムとして構成される。後述する第１移動通信交換装置１００の各機能は、ＣＰＵ１１、ＲＯＭ１２、ＲＡＭ１３等のハードウェア上に所定のコンピュータソフトウェアを読み込ませることにより、ＣＰＵ１１の制御の元で通信モジュール１４を動作させると共に、主記憶装置１２，１３や補助記憶装置１５におけるデータの読み出しおよび書き込みを行うことで実現される。
【００２２】
図４は、第１移動通信交換装置１００の構成概要図である。図４に示すように、第１移動通信交換装置１００は、機能的には、発信要求信号受信部（発信要求信号受信手段）１１０、取得要求信号送信部（取得要求信号送信手段）１２０、取得応答信号受信部１３０および回線設定部１４０を備えて構成される。
【００２３】
発信要求信号受信部１１０は、発信要求信号を発信側の移動通信端末６００から受信するものである。発信要求信号受信部１１０は、発信要求信号を発信側の移動通信端末６００から無線アクセスネットワーク４００を介して受信する（図１のＳ００１）。この発信要求信号には、発信側の移動通信端末６００の発番号や着信側の移動通信端末７００の着番号を特定する発着番号特定情報、並びに発信側の移動通信端末６００を特定する発番号情報および発信側の移動通信端末６００からの発信の種別を示す発信種別情報といった発信情報が含まれる。発信要求信号受信部１１０は、受信した発信要求信号を取得要求信号送信部１２０に出力する。発信種別情報としては、例えば、発信要求に係る発信内容が、通常の音声通話やＴＶ電話や位置情報の獲得要求であるといったサービス情報などがある。なお、本実施形態で用いられる「発信情報」と「発着番号特定情報」との間では、例えば発信側の移動通信端末６００の発番号など情報の一部が共用されていてもよい。
【００２４】
取得要求信号送信部１２０は、ルーティング情報の取得要求信号を加入者情報管理装置２００に送信するものである。取得要求信号送信部１２０は、発信要求信号受信部１１０から発信要求信号が入力されると、発信要求信号から発着番号特定情報や発信情報を抽出して、発着番号特定情報や発信情報を含む、ルーティング情報の取得要求信号を生成する。取得要求信号送信部１２０は、このような取得要求信号を加入者情報管理装置２００に送信する（図１のＳ００２）。
【００２５】
取得応答信号受信部１３０は、ルーティング情報の取得後に、加入者情報管理装置２００からルーティング情報の取得応答信号を受信するものである。取得応答信号受信部１３０は、ルーティング情報の取得応答信号を加入者情報管理装置２００から受信する。この取得応答信号には、ルーティング番号、特定情報および発着番号特定情報が含まれ、取得応答信号受信部１３０は、ルーティング番号、特定情報および発着番号特定情報を抽出する。取得応答信号受信部１３０は、抽出したルーティング番号、特定情報および発着番号特定情報を回線設定部１４０に出力する。
【００２６】
回線設定部１４０は、ルーティング情報の取得後に、第１移動通信交換装置１００と第２移動通信交換装置３００との間の通信回線を設定するものである。回線設定部１４０は、取得応答信号受信部１３０からルーティング番号、特定情報および発着番号特定情報が入力されると、発着番号特定情報に含まれる発番号で特定される移動通信端末６００を発信側として、特定情報で特定される第２移動通信交換装置３００におけるルーティグ番号に対して回線の設定を行う（図２のＳ００８）。これにより、発信側の移動通信端末６００と着信側の移動通信端末７００とが接続され、両移動通信端末間での音声通話が可能となる。
【００２７】
（加入者情報管理装置２００の構成）
加入者情報管理装置２００について説明する。図３は、加入者情報管理装置２００のハードウェア構成図である。図３に示すように、加入者情報管理装置２００は、物理的には、ＣＰＵ２１、ＲＯＭ２２およびＲＡＭ２３等の主記憶装置、第１移動通信交換装置１００および第２移動通信交換装置３００との間でデータの送受信を行うためのネットワークカード等の通信モジュール２４、ハードディスク等の補助記憶装置２５などを含む通常のコンピュータシステムとして構成される。後述する加入者情報管理装置２００の各機能は、ＣＰＵ２１、ＲＯＭ２２、ＲＡＭ２３等のハードウェア上に所定のコンピュータソフトウェアを読み込ませることにより、ＣＰＵ２１の制御の元で通信モジュール２４を動作させると共に、主記憶装置２２，２３や補助記憶装置２５におけるデータの読み出しおよび書き込みを行うことで実現される。
【００２８】
図５は、加入者情報管理装置２００の構成概要図である。図５に示すように、加入者情報管理装置２００は、機能的には、格納部２１０、取得要求信号受信部２２０（取得要求信号受信手段）、移動通信交換装置特定部２３０（移動通信交換装置特定手段）、払出し要求信号送信部２４０（払出し要求信号送信手段）、払出し応答信号受信部２５０および取得応答信号送信部２６０を備えて構成される。
【００２９】
格納部２１０は、例えば発信側の移動通信端末６００や着信側の移動通信端末７００など複数の移動通信端末の位置登録情報を保持するものである。格納部２１０は、発信側の移動通信端末６００の通信を制御する第１移動通信交換装置１００や着信側の移動通信端末７００の通信を制御する第２移動通信交換装置３００を特定する特定情報と各移動通信端末の電話番号（発番号や着番号）とをリンクさせた位置登録情報を保持している。格納部２１０は、発信側の移動通信端末６００または着信側の移動通信端末７００が移動して、在圏する移動通信交換装置が変更された場合には、移動通信端末６００，７００からの位置登録要求に応じて位置登録情報を更新して、新たな位置登録情報を保持する。格納部２１０は、後述する移動通信交換装置特定部２３０からの要求に応じて第２移動通信交換装置３００を特定する特定情報を移動通信交換装置特定部２３０に出力する。
【００３０】
取得要求信号受信部２２０は、第１移動通信交換装置１００からルーティング情報の取得要求信号を受信するものである。取得要求信号受信部２２０は、ルーティング情報の取得要求信号を第１移動通信交換装置１００から受信する。取得要求信号受信部２２０は、受信したルーティング情報の取得要求信号を移動通信交換装置特定部２３０および払出し要求信号送信部２４０に出力する。
【００３１】
移動通信交換装置特定部２３０は、着信側の移動通信端末７００の通信を制御する第２移動通信交換装置３００を特定するものである。移動通信交換装置特定部２３０は、取得要求信号受信部２２０からルーティング情報の取得要求信号が入力されると、このルーティング情報の取得要求信号から発着番号特定情報のうち着信側の移動通信端末を特定する着番号を抽出する。そして、移動通信交換装置特定部２３０は、この着番号で特定される着信側の移動通信端末７００の位置登録情報であって格納部２１０に格納されている位置登録情報を参照して、着信側の移動通信端末７００の通信を制御する第２移動通信交換装置３００を多数の移動通信交換装置から特定する特定情報を取得する。移動通信交換装置特定部２３０は、この特定情報を払出し要求信号送信部２４０および取得応答信号送信部２６０に出力する。
【００３２】
払出し要求信号送信部２４０は、ルーティング番号の払出し要求信号を第２移動通信交換装置３００に送信するものである。払出し要求信号送信部２４０は、取得要求信号受信部２２０からルーティング情報の取得要求信号が入力されると、このルーティング情報の取得要求信号から発着番号特定情報や発信情報を抽出する。そして、払出し要求信号送信部２４０は、発着番号特定情報や発信情報を含む、ルーティング番号の払出し要求信号を生成する。払出し要求信号送信部２４０は、発着番号特定情報や発信情報を含む払出し要求信号を、移動通信交換装置特定部２３０からの特定情報で特定される第２移動通信交換装置３００に対して送信する（図１のＳ００３）。
【００３３】
払出し応答信号受信部２５０は、ルーティング番号の取得後に、ルーティング番号の払出し応答信号を第２移動通信交換装置３００から受信するものである。払出し応答信号受信部２５０は、ルーティング番号の払出し応答信号を第２移動通信交換装置３００から受信する。この払出し応答信号には、ルーティング番号や発着番号特定情報が含まれる。そして、払出し応答信号受信部２５０は、ルーティング番号の払出し応答信号を取得応答信号送信部２６０に出力する。
【００３４】
取得応答信号送信部２６０は、ルーティング番号の取得後に、ルーティング情報の取得応答信号を第１移動通信交換装置１００へ送信するものである。取得応答信号送信部２６０は、払出し応答信号受信部２５０からルーティング番号や発着番号特定情報を含む払い出し応答信号が入力され、移動通信交換装置特定部２３０から特定情報が入力されると、発着番号特定情報を含む、ルーティング情報の取得応答信号を生成する。そして、取得応答信号送信部２６０は、このルーティング情報の取得応答信号を第１移動通信交換装置１００へ送信する（図２のＳ００７）。
【００３５】
（第２移動通信交換装置３００の構成）
第２移動通信交換装置３００について説明する。図３は、第２移動通信交換装置３００のハードウェア構成図である。図３に示すように、第２移動通信交換装置は、物理的には、ＣＰＵ３１、ＲＯＭ３２およびＲＡＭ３３等の主記憶装置、第１移動通信交換装置１００、加入者情報管理装置２００、無線アクセスネットワーク４００、Ｅ−ＵＴＲＡＮ５００および移動通信端末７００との間でデータの送受信を行うためのネットワークカード等の通信モジュール３４、ハードディスク等の補助記憶装置３５などを含む通常のコンピュータシステムとして構成される。後述する第２移動通信交換装置３００の各機能は、ＣＰＵ３１、ＲＯＭ３２、ＲＡＭ３３等のハードウェア上に所定のコンピュータソフトウェアを読み込ませることにより、ＣＰＵ３１の制御の元で通信モジュール３４を動作させると共に、主記憶装置３２，３３や補助記憶装置３５におけるデータの読み出しおよび書き込みを行うことで実現される。
【００３６】
図６は、第２移動通信交換装置３００の構成概要図である。図６に示すように、第２移動通信交換装置３００は、機能的には、払出し要求信号受信部（払出し要求信号受信手段）３１０、呼出信号送信部（呼出信号送信手段）３２０、発信情報通知部（発信情報通知手段）３３０、取得部（取得手段）３４０、移動通信網切替部３５０および払出し応答信号送信部（払出し応答信号送信手段）３６０を備えて構成される。
【００３７】
払出し要求信号受信部３１０は、加入者情報管理装置２００からルーティング番号の払出し要求信号を受信するものである。払出し要求信号受信部３１０は、ルーティング番号の払出し要求信号を加入者情報管理装置２００から受信する。この払出し要求信号には、発着番号特定情報や発信情報が含まれる。払出し要求信号受信部３１０は、ルーティング番号の払出し要求信号を呼出信号送信部３２０や発信情報通知部３３０に出力する。
【００３８】
呼出信号送信部３２０は、呼出信号を着信側の移動通信端末７００に送信するものである。呼出信号送信部３２０は、払出し要求信号受信部３１０からルーティング番号の払出し要求信号が入力されると、このルーティング番号の払出し要求信号に応じてルーティング番号の払出しを行うための呼出信号を生成する。また、呼出信号送信部３２０は、入力されたルーティング番号の払出し要求信号から発着番号特定情報のうち着信側の移動通信端末７００を特定する着番号を抽出する。そして、呼出信号送信部３２０は、生成された呼出信号をＥ―ＵＴＲＡＮ５００を介して、抽出した着番号で特定される移動通信端末７００へ送信する（図１のＳ００４）。このように回線設定の前に行われる呼出信号の送信は、プレページングと呼ばれる。
【００３９】
発信情報通知部３３０は、発信側の移動通信端末６００にかかる発信内容を呼出信号の送信にあわせて着信側の移動通信端末７００に送信するものである。発信情報通知部３３０は、払出し要求信号受信部３１０からルーティング番号の払出し要求信号が入力されると、このルーティング番号の払出し要求信号から、発信側の移動通信端末６００を特定する発番号情報および発信側の移動通信端末６００からの発信の種別を示す発信種別情報を含む発信情報を抽出して、発信情報を含む発信情報信号を生成する。発信情報通知部３３０は、発信情報を含む発信情報信号を呼出信号の送信にあわせて送信する（図１のＳ００５）。なお、本実施形態では、呼出信号と発信情報信号とを別に送信する構成としたが、呼出信号に発信情報を設定するようにして、発信情報を含む呼出信号を着信側の移動通信端末７００に送信するようにしてもよい。
【００４０】
取得部３４０は、ルーティング番号を取得するものである。取得部３４０は、呼出信号送信部３２０から送信された呼出信号に応じて、着信側の移動通信端末７００から、在圏する移動通信網をＥ−ＵＴＲＡＮ５００から無線アクセスネットワーク４００に切り替える切替指示信号を応答信号として受信すると、第２移動通信交換装置３００における通信用のチャンネルの内の一のチャンネルに対応するルーティング番号を着信側の移動通信端末７００による通信用に割り当てることで、ルーティング番号を取得する。取得部３４０は、取得したルーティング番号を払出し応答信号送信部３６０に出力する。なお、取得部３４０が着信側の移動通信端末７００から非切替を指示する非切替指示信号を受信した場合には、ルーティング番号の取得を行わない。
【００４１】
移動通信網切替部３５０は、着信側の移動通信端末７００が在圏する移動通信網を切り替えるものである。移動通信網切替部３５０は、発信情報通知部３３０から送信される発信内容に応じた着信側の移動通信端末７００からの切替指示信号を受信すると、着信側の移動通信端末７００が在圏する移動通信網を、例えば、Ｅ−ＵＴＲＡＮ５００から無線アクセスネットワーク４００へと切り替える処理を行う。なお、移動通信網切替部３５０が着信側の移動通信端末７００から非切替を指示する非切替指示信号を受信した場合には、移動通信網の切替を行わない。この移動通信網切替部３５０により、いわゆるＣＳｆａｌｌｂａｃｋが行われる。
【００４２】
払出し応答信号送信部３６０は、ルーティング番号を含む払出し応答信号を加入者情報管理装置２００へ送信するものである。払出し応答信号送信部３６０は、着信側の移動通信端末７００用に割り当てられたルーティング番号が取得部３４０から入力されると共に、払出し要求の対象となる着信側の移動通信端末７００を特定する着番号を含む発着番号特定情報が払出し要求信号受信部３１０から入力される。そして、払出し応答信号送信部３６０は、発着番号特定情報を含む、ルーティング番号の払出し応答信号を生成する。払出し応答信号送信部３６０は、このルーティング番号の払出し応答信号を加入者情報管理装置２００へ送信する（図２のＳ００６）。そして、上述したように、ルーティング番号に基づいて、発信側の移動通信端末６００と着信側の移動通信端末７００との間の回線が設定され、通話が行われる。
【００４３】
（通信制御システム１の動作）
続いて、通信制御システム１により行われる動作（通信制御方法）について、図７を参照しながら説明する。図７は、通信制御システム１の動作を示すシーケンス図である。
【００４４】
まず、第１移動通信交換装置１００では、発信要求信号受信部１１０により、発信側の移動通信端末６００から無線アクセスネットワーク４００を介して発信要求信号が受信される（発信要求信号受信ステップ、Ｓ１０１）。この発信要求信号には、発信側の移動通信端末６００の発番号や着信側の移動通信端末７００の着番号を特定する発着番号特定情報、並びに発信側の移動通信端末６００を特定する発番号情報および発信側の移動通信端末６００からの発信の種別を示す発信種別情報といった発信情報が含まれる。
【００４５】
続いて、第１移動通信交換装置１００では、取得要求信号送信部１２０により、発信要求信号に応じてルーティング情報の取得要求信号が生成され、加入者情報管理装置２００に対して、この取得要求信号が送信される（取得要求信号送信ステップ、Ｓ１０２）。この取得要求信号には、発信要求信号から抽出された発着番号特定情報および発信情報が含まれる。
【００４６】
続いて、加入者情報管理装置２００では、取得要求信号受信部２２０により、取得要求信号が受信され（取得要求信号受信ステップ）、移動通信交換装置特定部２３０によって、着信側の移動通信端末７００の位置登録情報が参照されて、着信側の移動通信端末７００の通信を制御する第２移動通信交換装置３００が特定される（移動通信交換装置特定ステップ、Ｓ１０３）。
【００４７】
また、加入者情報管理装置２００では、払出し要求信号送信部２４０により、着信側の移動通信端末７００に割り当てられるルーティング番号の払出し要求信号が生成され、ステップＳ１０３で特定された第２移動通信交換装置３００に対して、この払出し要求信号が送信される（払出し要求信号送信ステップ、Ｓ１０４）。この払出し要求信号には、発着番号特定情報や発信情報が含まれる。
【００４８】
続いて、第２移動通信交換装置３００では、払出し要求信号受信部３１０により、払出し要求信号が受信され（払出し要求信号受信ステップ）、呼出信号送信部３２０によって、この払出し要求信号に基づいた呼出信号が生成されて、呼出信号が着信側の移動通信端末７００に送信される（呼出信号送信ステップ、Ｓ１０５）。また、第２移動通信交換装置３００では、発信情報通知部３３０により、発信側の移動通信端末６００を特定する発番号情報および発信側の移動通信端末６００からの発信の種別を示す発信種別情報を含む発信情報が払出し要求信号から抽出され、発信情報を含む発信情報信号が生成される。そして、発信情報通知部３３０により、呼出信号の送信にあわせて発信情報信号がＥ−ＵＴＲＡＮ５００を介して着信側の移動通信端末７００へ送信される（発信情報通知ステップ、Ｓ１０５）。
【００４９】
着信側の移動通信端末７００では、受信した発信情報信号が表示部に表示されるなどして発信内容がユーザによって確認される。確認の結果、呼出信号送信部３２０からの呼出信号に応じるのであれば、ユーザの操作によって、在圏する移動通信網をＥ−ＵＴＲＡＮ５００から無線アクセスネットワーク４００に切り替える切替指示信号が応答信号として第２移動通信交換装置３００へ送信される。第２移動通信交換装置３００により切替指示信号が受信されると、第２移動通信交換装置３００では、まず、移動通信網切替部３５０により、着信側の移動通信端末７００の在圏する移動通信網がＥ−ＵＴＲＡＮ５００から無線アクセスネットワーク４００に切り替えられる（Ｓ１０６）。すなわち、ＣＳ  ｆａｌｌｂａｃｋされる。なお、着信側の移動通信端末７００では、表示された発信内容により、呼出信号に応じずに在圏する移動通信網を切り替えないことも選択でき、この場合には非切替指示信号が第２移動通信交換装置３００へ送信される。この場合には、着信側の移動通信端末７００では、Ｅ−ＵＴＲＡＮ５００に接続された状態が継続され、例えば、着信側の移動通信端末７００によるデータ通信が継続される。
【００５０】
続いて、第２移動通信交換装置３００では、切替指示信号が呼出信号に応じた応答信号として受信されると、取得部３４０により、着信側の移動通信端末７００用のルーティング番号が取得される（取得ステップ、Ｓ１０７）。そして、第２移動通信交換装置３００では、払出し応答信号送信部３６０により、ルーティング番号の払出し応答信号が生成され、加入者情報管理装置２００へ送信される（Ｓ１０８）。
【００５１】
続いて、加入者情報管理装置２００では、払出し応答信号受信部２５０により、ルーティング番号の払出し応答信号が受信され、取得応答信号送信部２６０により、ステップＳ１０７で取得されたルーティング番号とステップＳ１０３で取得された第２移動通信交換装置３００を特定する特定情報とを含むルーティング情報が生成される。そして、この取得応答信号送信部２６０により、ルーティング情報の取得応答信号が第１移動通信交換装置１００へ送信される（Ｓ１０９）。なお、この取得応答信号には、発着番号特定情報も含まれる。
【００５２】
続いて、第１移動通信交換装置１００では、取得応答信号受信部１３０により、ルーティング情報の取得応答信号が受信され、この取得応答信号からルーティング番号、特定情報および発着番号特定情報が抽出される。そして、回線設定部１４０により、発着番号特定情報のうちの発番号特定情報で特定される移動通信端末６００を発信側として、特定情報で特定される第２移動通信交換装置３００におけるルーティグ番号に対して回線の設定が行われる（Ｓ１１０）。これにより、発信側の移動通信端末６００と着信側の移動通信端末７００とが接続され、両移動通信端末間での音声通話が開始される（Ｓ１１１）。
【００５３】
本実施形態によれば、回線設定前のルーティング情報の取得段階において、第１移動通信交換装置１００が発信情報を含む取得要求信号を生成して加入者情報管理装置２００に送信する。続いて、発信情報を含む取得要求信号を受信した加入者情報管理装置２００が着信側の第２移動通信交換装置３００を特定すると共に発信情報を含む払出し要求信号を生成して、特定された第２移動通信交換装置３００にこの払出し要求信号を送信する。そして、発信情報を含む払出し要求信号を受信した第２移動通信交換装置３００が呼出信号を着信側の移動通信端末７００に送信する際、発信情報を移動通信端末７００に送信するようになっている。このように第２移動通信交換装置３００が呼出信号を送信する際、すなわちプレページングを行う際、発信側の移動通信端末６００についての発信内容をあわせて送信することにより、着信側の移動通信端末７００の使用者すなわち着信者に早期に発信内容を知らせることができる。そして、移動通信網の切替といった処理を判断する前に、このような発信内容を知らせることができることから、着信側の移動通信端末７００において、着信者は、これらの情報に基づいて、移動網の切替の選択を行うことができる。例えば、高速データ通信を利用してソフトウェアをダウンロードしている最中に着信があったような場合、本実施形態によれば、発信内容に含まれる発番号の相手によってはダウンロード後にかけ直すといった判断を着信者がとることができ、移動網の切替を行わないといった選択もでき、移動通信端末の利用者の利便性を向上させることができる。
【００５４】
以上、本発明をその実施形態に基づき具体的に説明したが、本発明は、上記実施形態に限定されるものではない。例えば、上記実施形態では、第２移動通信交換装置３００から着信側の移動通信端末７００に、発信側の移動通信端末６００を特定する発番号情報および発信側の移動通信端末６００からの発信の種別を示す発信種別情報の両方の情報を発信情報として送信するようにしたが、発番号情報および発信種別情報の少なくとも一方の情報が発信情報として送信されるようにすればよい。即ち、発信情報は、発番号情報と発信種別情報とのいずれか一方であってもよい。また、発信情報が発番号情報のみである場合、発着番号特定情報における発信側の移動通信端末６００の発番号を発信情報とすることとしてもよい。また、上記実施形態では、着信側の移動通信端末７００が当初、Ｅ−ＵＴＲＡＮ５００に在圏してルーティング番号の取得の際に移動通信網を切り替えるようにしているが、着信側の移動通信端末７００が当初から発信側の移動通信端末６００が在圏する無線アクセスネットワーク４００に在圏しており、ルーティング番号の取得の際に移動通信網の切替が行われなくてもよい。
【図面の簡単な説明】
【００５５】
【図１】本実施形態に係る通信制御システムの構成概要図である。
【図２】本実施形態に係る通信制御システムの構成概要図である。
【図３】第１移動通信交換装置、第２移動通信交換装置および加入者情報管理装置のハードウェア構成図である。
【図４】第１移動通信交換装置の構成概要図である。
【図５】加入者情報管理装置の構成概要図である。
【図６】第２移動通信交換装置の構成概要図である。
【図７】通信制御システムの動作を示すシーケンス図である。
【符号の説明】
【００５６】
１００…第１移動交換装置、１１０…発信要求信号受信部（発信要求信号受信手段）、１２０…取得要求信号送信部（取得要求信号送信手段）、２００…加入者情報管理装置、２１０…格納部、２２０…取得要求信号受信部（取得要求信号受信手段）、２３０…移動通信交換装置特定部（移動通信交換装置特定手段）、２４０…払出し要求信号送信部（払出し要求信号送信手段）、３００…第２移動通信交換装置、３１０…払出し要求信号受信部（払出し要求信号受信手段）、３２０…呼出信号送信部（呼出信号送信手段）、３３０…発信情報通知部（発信情報通知手段）、３４０…取得部（取得手段）、３５０…移動通信網切替部（移動通信網切替手段）、３６０…払出し応答信号送信部（払出し応答信号送信手段）、４００…無線アクセスネットワーク、５００…Ｅ−ＵＴＲＡＮ、６００…発信側の移動通信端末、７００…着信側の移動通信端末。
【図１】
2010041513.tif 000003
【図２】
2010041513.tif 000004
【図３】
2010041513.tif 000005
【図４】
2010041513.tif 000006
【図５】
2010041513.tif 000007
【図６】
2010041513.tif 000008
【図７】
2010041513.tif 000009
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムであって、
前記第１移動通信交換装置は、
前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備え、
前記加入者情報管理装置は、
前記第１移動通信交換装置から前記ルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備え、
前記第２移動通信交換装置は、
前記加入者情報管理装置から前記ルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備える、
ことを特徴とする通信制御システム。
【請求項２】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項１に記載の通信制御システム。
【請求項３】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる第１移動通信交換装置であって、
前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備えることを特徴とする第１移動通信交換装置。
【請求項４】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる加入者情報管理装置であって、
前記第１移動通信交換装置から前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含むルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備えることを特徴とする加入者情報管理装置。
【請求項５】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる第２移動通信交換装置であって、
前記加入者情報管理装置から前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含むルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備えることを特徴とする第２移動通信交換装置。
【請求項６】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムであって、
前記第１移動通信交換装置は、
前記発信側の移動通信端末の発番号および前記着信側の移動通信端末の着番号を特定する発着番号特定情報、並びに当該発信側の移動通信端末を特定する発番号情報である発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備え、
前記加入者情報管理装置は、
前記第１移動通信交換装置から前記ルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備え、
前記第２移動通信交換装置は、
前記加入者情報管理装置から前記ルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備える、
ことを特徴とする通信制御システム。
【請求項７】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項６に記載の通信制御システム。
【請求項８】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる第１移動通信交換装置であって、
前記発信側の移動通信端末の発番号および前記着信側の移動通信端末の着番号を特定する発着番号特定情報、並びに当該発信側の移動通信端末を特定する発番号情報である発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備えることを特徴とする第１移動通信交換装置。
【請求項９】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる加入者情報管理装置であって、
前記第１移動通信交換装置から前記発信側の移動通信端末の発番号および前記着信側の移動通信端末の着番号を特定する発着番号特定情報、並びに当該発信側の移動通信端末を特定する発番号情報である発信情報を含むルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備えることを特徴とする加入者情報管理装置。
【請求項１０】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムに用いられる第２移動通信交換装置であって、
前記加入者情報管理装置から前記発信側の移動通信端末の発番号および前記着信側の移動通信端末の着番号を特定する発着番号特定情報、並びに当該発信側の移動通信端末を特定する発番号情報である発信情報を含むルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備えることを特徴とする第２移動通信交換装置。
【請求項１１】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムの通信制御方法であって、
前記第１移動通信交換装置が、前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信ステップと、
前記第１移動通信交換装置が、前記発信要求信号受信ステップで受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信ステップと、
前記加入者情報管理装置が、前記第１移動通信交換装置から前記ルーティング情報取得要求信号を受信する取得要求信号受信ステップと、
前記加入者情報管理装置が、前記取得要求信号受信ステップで受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定ステップと、
前記加入者情報管理装置が、前記取得要求信号受信ステップで受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定ステップで特定された前記第２移動通信交換装置に送信する払出し要求信号送信ステップと、
前記第２移動通信交換装置が、前記加入者情報管理装置から前記ルーティング番号払出し要求信号を受信する払出し要求信号受信ステップと、
前記第２移動通信交換装置が、前記払出し要求信号受信ステップで受信した前記ルーティング番号払出し要求信号に基づいて前記呼出信号を前記着信側の移動通信端末に送信する呼出信号送信ステップと、
前記第２移動通信交換装置が、前記払出し要求信号受信ステップで受信した前記ルーティング番号払出し要求信号から前記発信情報を抽出して、前記呼出信号送信ステップで前記呼出信号を送信する際、前記発信情報を前記着信側の移動通信端末に送信する発信情報通知ステップと、
前記第２移動通信交換装置が、前記呼出信号送信ステップでの前記呼出信号の送信に応じて前記着信側の移動通信端末から送信される応答信号を受信して前記ルーティング番号を取得する取得ステップと、
を含むことを特徴とする通信制御方法。
【請求項１２】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信する通信制御システムの通信制御方法であって、
前記第１移動通信交換装置が、前記発信側の移動通信端末の発番号および前記着信側の移動通信端末の着番号を特定する発着番号特定情報、並びに当該発信側の移動通信端末を特定する発番号情報である発信情報を含む発信要求信号を前記発信側の移動通信端末から受信する発信要求信号受信ステップと、
前記第１移動通信交換装置が、前記発信要求信号受信ステップで受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信ステップと、
前記加入者情報管理装置が、前記第１移動通信交換装置から前記ルーティング情報取得要求信号を受信する取得要求信号受信ステップと、
前記加入者情報管理装置が、前記取得要求信号受信ステップで受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定ステップと、
前記加入者情報管理装置が、前記取得要求信号受信ステップで受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定ステップで特定された前記第２移動通信交換装置に送信する払出し要求信号送信ステップと、
前記第２移動通信交換装置が、前記加入者情報管理装置から前記ルーティング番号払出し要求信号を受信する払出し要求信号受信ステップと、
前記第２移動通信交換装置が、前記払出し要求信号受信ステップで受信した前記ルーティング番号払出し要求信号に基づいて前記呼出信号を前記着信側の移動通信端末に送信する呼出信号送信ステップと、
前記第２移動通信交換装置が、前記払出し要求信号受信ステップで受信した前記ルーティング番号払出し要求信号から前記発信情報を抽出して、前記呼出信号送信ステップで前記呼出信号を送信する際、前記発信情報を前記着信側の移動通信端末に送信する発信情報通知ステップと、
前記第２移動通信交換装置が、前記呼出信号送信ステップでの前記呼出信号の送信に応じて前記着信側の移動通信端末から送信される応答信号を受信して前記ルーティング番号を取得する取得ステップと、
を含むことを特徴とする通信制御方法。
【手続補正２】
【補正対象書類名】明細書
【補正対象項目名】００１２
【補正方法】変更
【補正の内容】
【００１２】
また、本発明の通信制御システムは、発信情報通知手段が着信側の移動通信端末へ発信情報を送信したことに応じて、着信側の移動通信端末が在圏中の移動通信網から発信側の移動通信端末が在圏する別の移動通信網への切替を指示する切替指示信号を着信側の移動通信端末から受信して、着信側の移動通信端末を発信側の移動通信端末が在圏する別の移動通信網に在圏させるように切り替える移動通信網切替手段を備えていてもよい。これにより、着信側の移動通信端末において、着信者は、移動網の切替の選択を行うことができる。
また、本発明の通信制御システムは、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムであって、第１移動通信交換装置は、発信側の移動通信端末の発番号および着信側の移動通信端末の着番号を特定する発着番号特定情報、並びに当該発信側の移動通信端末を特定する発番号情報である発信情報を含む発信要求信号を発信側の移動通信端末から受信する発信要求信号受信手段と、発信要求信号受信手段が受信した発信要求信号から発着番号特定情報および発信情報を抽出し、発着番号特定情報および発信情報を含むルーティング情報取得要求信号を生成してルーティング情報取得要求信号を加入者情報管理装置に送信する取得要求信号送信手段と、を備え、加入者情報管理装置は、第１移動通信交換装置からルーティング情報取得要求信号を受信する取得要求信号受信手段と、取得要求信号受信手段が受信したルーティング情報取得要求信号から発着番号特定情報を抽出し、発着番号特定情報で特定される着信側の移動通信端末の位置登録情報を参照して、着信側の移動通信端末の通信を制御する第２移動通信交換装置を特定する移動通信交換装置特定手段と、取得要求信号受信手段が受信したルーティング情報取得要求信号から発着番号特定情報および発信情報を抽出し、発着番号特定情報および発信情報を含むルーティング番号払出し要求信号を生成してルーティング番号払出し要求信号を移動通信交換装置特定手段で特定された第２移動通信交換装置に送信する払出し要求信号送信手段と、を備え、第２移動通信交換装置は、加入者情報管理装置からルーティング番号払出し要求信号を受信する払出し要求信号受信手段と、払出し要求信号受信手段が受信したルーティング番号払出し要求信号に基づいて呼出信号を着信側の移動通信端末に送信する呼出信号送信手段と、払出し要求信号受信手段が受信したルーティング番号払出し要求信号から発信情報を抽出して、呼出信号送信手段が呼出信号を送信する際、発信情報を着信側の移動通信端末に送信する発信情報通知手段と、呼出信号送信手段からの呼出信号の送信に応じて着信側の移動通信端末から送信される応答信号を受信してルーティング番号を取得する取得手段と、を備える、ことを特徴とする。この通信制御システムも、発信情報通知手段が着信側の移動通信端末へ発信情報を送信したことに応じて、着信側の移動通信端末が在圏中の移動通信網から発信側の移動通信端末が在圏する別の移動通信網への切替を指示する切替指示信号を着信側の移動通信端末から受信して、着信側の移動通信端末を発信側の移動通信端末が在圏する別の移動通信網に在圏させるように切り替える移動通信網切替手段を備えていてもよい。
また、本発明の第１移動通信交換装置は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムに用いられる第１移動通信交換装置であって、  発信側の移動通信端末の発番号および着信側の移動通信端末の着番号を特定する発着番号特定情報、並びに当該発信側の移動通信端末を特定する発番号情報である発信情報を含む発信要求信号を発信側の移動通信端末から受信する発信要求信号受信手段と、発信要求信号受信手段が受信した発信要求信号から発着番号特定情報および発信情報を抽出し、発着番号特定情報および発信情報を含むルーティング情報取得要求信号を生成してルーティング情報取得要求信号を加入者情報管理装置に送信する取得要求信号送信手段と、を備えることを特徴とする。
また、本発明の加入者情報管理装置は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムに用いられる加入者情報管理装置であって、第１移動通信交換装置から発信側の移動通信端末の発番号および着信側の移動通信端末の着番号を特定する発着番号特定情報、並びに当該発信側の移動通信端末を特定する発番号情報である発信情報を含むルーティング情報取得要求信号を受信する取得要求信号受信手段と、取得要求信号受信手段が受信したルーティング情報取得要求信号から発着番号特定情報を抽出し、発着番号特定情報で特定される着信側の移動通信端末の位置登録情報を参照して、着信側の移動通信端末の通信を制御する第２移動通信交換装置を特定する移動通信交換装置特定手段と、取得要求信号受信手段が受信したルーティング情報取得要求信号から発着番号特定情報および発信情報を抽出し、発着番号特定情報および発信情報を含むルーティング番号払出し要求信号を生成してルーティング番号払出し要求信号を移動通信交換装置特定手段で特定された第２移動通信交換装置に送信する払出し要求信号送信手段と、を備えることを特徴とする。
また、本発明の第２移動通信交換装置は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムに用いられる第２移動通信交換装置であって、加入者情報管理装置から発信側の移動通信端末の発番号および着信側の移動通信端末の着番号を特定する発着番号特定情報、並びに当該発信側の移動通信端末を特定する発番号情報である発信情報を含むルーティング番号払出し要求信号を受信する払出し要求信号受信手段と、払出し要求信号受信手段が受信したルーティング番号払出し要求信号に基づいて呼出信号を着信側の移動通信端末に送信する呼出信号送信手段と、払出し要求信号受信手段が受信したルーティング番号払出し要求信号から発信情報を抽出して、呼出信号送信手段が呼出信号を送信する際、発信情報を着信側の移動通信端末に送信する発信情報通知手段と、呼出信号送信手段からの呼出信号の送信に応じて着信側の移動通信端末から送信される応答信号を受信してルーティング番号を取得する取得手段と、を備えることを特徴とする。
また、本発明の通信制御方法は、発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して発信側の移動通信端末と着信側の移動通信端末との間の通信回線を設定する前に着信側の移動通信端末へ呼出信号を送信する通信制御システムの通信制御方法であって、第１移動通信交換装置が、発信側の移動通信端末の発番号および着信側の移動通信端末の着番号を特定する発着番号特定情報、並びに当該発信側の移動通信端末を特定する発番号情報である発信情報を含む発信要求信号を発信側の移動通信端末から受信する発信要求信号受信ステップと、第１移動通信交換装置が、発信要求信号受信ステップで受信した発信要求信号から発着番号特定情報および発信情報を抽出し、発着番号特定情報および発信情報を含むルーティング情報取得要求信号を生成してルーティング情報取得要求信号を加入者情報管理装置に送信する取得要求信号送信ステップと、加入者情報管理装置が、第１移動通信交換装置からルーティング情報取得要求信号を受信する取得要求信号受信ステップと、加入者情報管理装置が、取得要求信号受信ステップで受信したルーティング情報取得要求信号から発着番号特定情報を抽出し、発着番号特定情報で特定される着信側の移動通信端末の位置登録情報を参照して、着信側の移動通信端末の通信を制御する第２移動通信交換装置を特定する移動通信交換装置特定ステップと、加入者情報管理装置が、取得要求信号受信ステップで受信したルーティング情報取得要求信号から発着番号特定情報および発信情報を抽出し、発着番号特定情報および発信情報を含むルーティング番号払出し要求信号を生成してルーティング番号払出し要求信号を移動通信交換装置特定ステップで特定された第２移動通信交換装置に送信する払出し要求信号送信ステップと、第２移動通信交換装置が、加入者情報管理装置からルーティング番号払出し要求信号を受信する払出し要求信号受信ステップと、第２移動通信交換装置が、払出し要求信号受信ステップで受信したルーティング番号払出し要求信号に基づいて呼出信号を着信側の移動通信端末に送信する呼出信号送信ステップと、第２移動通信交換装置が、払出し要求信号受信ステップで受信したルーティング番号払出し要求信号から発信情報を抽出して、呼出信号送信ステップで呼出信号を送信する際、発信情報を着信側の移動通信端末に送信する発信情報通知ステップと、第２移動通信交換装置が、呼出信号送信ステップでの呼出信号の送信に応じて着信側の移動通信端末から送信される応答信号を受信してルーティング番号を取得する取得ステップと、を含むことを特徴とする。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信し、且つ、前記着信側の移動通信端末が、在圏中の移動通信網から前記発信側の移動通信端末が在圏する別の移動通信網へ切替又は非切替を選択できる通信制御システムであって、
前記第１移動通信交換装置は、
前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備え、
前記加入者情報管理装置は、
前記第１移動通信交換装置から前記ルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備え、
前記第２移動通信交換装置は、
前記加入者情報管理装置から前記ルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備える、
ことを特徴とする通信制御システム。
【請求項２】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項１に記載の通信制御システム。
【請求項３】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信し、且つ、前記着信側の移動通信端末が、在圏中の移動通信網から前記発信側の移動通信端末が在圏する別の移動通信網へ切替又は非切替を選択できる通信制御システムに用いられる第２移動通信交換装置であって、
前記加入者情報管理装置から前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含むルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備えることを特徴とする第２移動通信交換装置。
【請求項４】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項３に記載の第２移動通信交換装置。
【請求項５】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信し、且つ、前記着信側の移動通信端末が、在圏中の移動通信網から前記発信側の移動通信端末が在圏する別の移動通信網へ切替又は非切替を選択できる通信制御システムであって、
前記第１移動通信交換装置は、
前記発信側の移動通信端末の発番号および前記着信側の移動通信端末の着番号を特定する発着番号特定情報、並びに当該発信側の移動通信端末を特定する発番号情報である発信情報を含む発信要求信号を前記発信側の移動通信端末から受信する発信要求信号受信手段と、
前記発信要求信号受信手段が受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信手段と、
を備え、
前記加入者情報管理装置は、
前記第１移動通信交換装置から前記ルーティング情報取得要求信号を受信する取得要求信号受信手段と、
前記取得要求信号受信手段が受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定手段と、
前記取得要求信号受信手段が受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定手段で特定された前記第２移動通信交換装置に送信する払出し要求信号送信手段と、
を備え、
前記第２移動通信交換装置は、
前記加入者情報管理装置から前記ルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備える、
ことを特徴とする通信制御システム。
【請求項６】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項５に記載の通信制御システム。
【請求項７】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信し、且つ、前記着信側の移動通信端末が、在圏中の移動通信網から前記発信側の移動通信端末が在圏する別の移動通信網へ切替又は非切替を選択できる通信制御システムに用いられる第２移動通信交換装置であって、
前記加入者情報管理装置から前記発信側の移動通信端末の発番号および前記着信側の移動通信端末の着番号を特定する発着番号特定情報、並びに当該発信側の移動通信端末を特定する発番号情報である発信情報を含むルーティング番号払出し要求信号を受信する払出し要求信号受信手段と、
前記払出し要求信号受信手段が受信した前記ルーティング番号払出し要求信号に基づいて前記呼出信号を前記着信側の移動通信端末に送信する呼出信号送信手段と、
前記払出し要求信号受信手段が受信した前記ルーティング番号払出し要求信号から前記発信情報を抽出して、前記呼出信号送信手段が前記呼出信号を送信する際、前記発信情報を前記着信側の移動通信端末に送信する発信情報通知手段と、
前記呼出信号送信手段からの前記呼出信号の送信に応じて前記着信側の移動通信端末から送信される応答信号を受信して前記ルーティング番号を取得する取得手段と、
を備えることを特徴とする第２移動通信交換装置。
【請求項８】
前記発信情報通知手段が前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替手段を備えることを特徴とする請求項７に記載の第２移動通信交換装置。
【請求項９】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信し、且つ、前記着信側の移動通信端末が、在圏中の移動通信網から前記発信側の移動通信端末が在圏する別の移動通信網へ切替又は非切替を選択できる通信制御システムの通信制御方法であって、
前記第１移動通信交換装置が、前記発信側の移動通信端末の発番号および前記着信側の移動通信端末の着番号を特定する発着番号特定情報、並びに当該発信側の移動通信端末を特定する発番号情報および前記発信側の移動通信端末からの発信の種別を示す発信種別情報の少なくとも一方の発信情報を含む発信要求信号を前記発信側の移動通信端末から受信する発信要求信号受信ステップと、
前記第１移動通信交換装置が、前記発信要求信号受信ステップで受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信ステップと、
前記加入者情報管理装置が、前記第１移動通信交換装置から前記ルーティング情報取得要求信号を受信する取得要求信号受信ステップと、
前記加入者情報管理装置が、前記取得要求信号受信ステップで受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定ステップと、
前記加入者情報管理装置が、前記取得要求信号受信ステップで受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定ステップで特定された前記第２移動通信交換装置に送信する払出し要求信号送信ステップと、
前記第２移動通信交換装置が、前記加入者情報管理装置から前記ルーティング番号払出し要求信号を受信する払出し要求信号受信ステップと、
前記第２移動通信交換装置が、前記払出し要求信号受信ステップで受信した前記ルーティング番号払出し要求信号に基づいて前記呼出信号を前記着信側の移動通信端末に送信する呼出信号送信ステップと、
前記第２移動通信交換装置が、前記払出し要求信号受信ステップで受信した前記ルーティング番号払出し要求信号から前記発信情報を抽出して、前記呼出信号送信ステップで前記呼出信号を送信する際、前記発信情報を前記着信側の移動通信端末に送信する発信情報通知ステップと、
前記第２移動通信交換装置が、前記呼出信号送信ステップでの前記呼出信号の送信に応じて前記着信側の移動通信端末から送信される応答信号を受信して前記ルーティング番号を取得する取得ステップと、
を含むことを特徴とする通信制御方法。
【請求項１０】
前記第２移動通信交換装置が、前記発信情報通知ステップにおいて前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替ステップを更に含むことを特徴とする請求項９に記載の通信制御方法。
【請求項１１】
発信側の移動通信端末の通信を制御する第１移動通信交換装置と、着信側の移動通信端末の通信を制御する第２移動通信交換装置と、両移動通信端末の位置登録情報を管理する加入者情報管理装置とを含んで構成され、ルーティング情報を取得して前記発信側の移動通信端末と前記着信側の移動通信端末との間の通信回線を設定する前に前記着信側の移動通信端末へ呼出信号を送信し、且つ、前記着信側の移動通信端末が、在圏中の移動通信網から前記発信側の移動通信端末が在圏する別の移動通信網へ切替又は非切替を選択できる通信制御システムの通信制御方法であって、
前記第１移動通信交換装置が、前記発信側の移動通信端末の発番号および前記着信側の移動通信端末の着番号を特定する発着番号特定情報、並びに当該発信側の移動通信端末を特定する発番号情報である発信情報を含む発信要求信号を前記発信側の移動通信端末から受信する発信要求信号受信ステップと、
前記第１移動通信交換装置が、前記発信要求信号受信ステップで受信した前記発信要求信号から前記発着番号特定情報および前記発信情報を抽出し、前記発着番号特定情報および前記発信情報を含むルーティング情報取得要求信号を生成して前記ルーティング情報取得要求信号を前記加入者情報管理装置に送信する取得要求信号送信ステップと、
前記加入者情報管理装置が、前記第１移動通信交換装置から前記ルーティング情報取得要求信号を受信する取得要求信号受信ステップと、
前記加入者情報管理装置が、前記取得要求信号受信ステップで受信した前記ルーティング情報取得要求信号から前記発着番号特定情報を抽出し、前記発着番号特定情報で特定される前記着信側の移動通信端末の前記位置登録情報を参照して、前記着信側の移動通信端末の通信を制御する前記第２移動通信交換装置を特定する移動通信交換装置特定ステップと、
前記加入者情報管理装置が、前記取得要求信号受信ステップで受信した前記ルーティング情報取得要求信号から前記発着番号特定情報および前記発信情報を抽出し、前記発着番号特定情報および前記発信情報を含むルーティング番号払出し要求信号を生成して前記ルーティング番号払出し要求信号を前記移動通信交換装置特定ステップで特定された前記第２移動通信交換装置に送信する払出し要求信号送信ステップと、
前記第２移動通信交換装置が、前記加入者情報管理装置から前記ルーティング番号払出し要求信号を受信する払出し要求信号受信ステップと、
前記第２移動通信交換装置が、前記払出し要求信号受信ステップで受信した前記ルーティング番号払出し要求信号に基づいて前記呼出信号を前記着信側の移動通信端末に送信する呼出信号送信ステップと、
前記第２移動通信交換装置が、前記払出し要求信号受信ステップで受信した前記ルーティング番号払出し要求信号から前記発信情報を抽出して、前記呼出信号送信ステップで前記呼出信号を送信する際、前記発信情報を前記着信側の移動通信端末に送信する発信情報通知ステップと、
前記第２移動通信交換装置が、前記呼出信号送信ステップでの前記呼出信号の送信に応じて前記着信側の移動通信端末から送信される応答信号を受信して前記ルーティング番号を取得する取得ステップと、
を含むことを特徴とする通信制御方法。
【請求項１２】
前記第２移動通信交換装置が、前記発信情報通知ステップにおいて前記着信側の移動通信端末へ前記発信情報を送信したことに応じて、前記着信側の移動通信端末が在圏中の移動通信網から前記発信側の移動通信端末が在圏する別の移動通信網への切替を指示する切替指示信号を前記着信側の移動通信端末から受信して、前記着信側の移動通信端末を前記発信側の移動通信端末が在圏する別の移動通信網に在圏させるように切り替える移動通信網切替ステップを更に含むことを特徴とする請求項１１に記載の通信制御方法。